(57)【要約】【課題】大型化させることなく低コストの防水対策が施された非接触ＩＣカードリーダ【解決手段】アンテナと、アンテナを制御する回路基板と、外部配線と回路基板とを電気的に接続するコネクタ部３と、アンテナ及び回路基板を内蔵するケース本体４とを備えており、コネクタ部３はケース本体４から露出した状態で備えられており、ケース本体４の外表面におけるコネクタ部３の近傍に、露出したコネクタ部３の上側を覆う防水片１を設けている。また、防水片１は、水平面に対して傾けた状態で設けられており、ケース本体４の外表面には、防水片１の上側を覆う予備防水片２を設けている。【選択図】図１
2008181371.tif 000002
【特許請求の範囲】
【請求項１】
アンテナと、アンテナを制御する回路基板と、外部配線と回路基板とを電気的に接続するコネクタ部と、アンテナ及び回路基板を内蔵するケース本体とを備えており、
コネクタ部はケース本体から露出した状態で備えられており、ケース本体の外表面におけるコネクタ部の近傍に、露出したコネクタ部の上側を覆う防水片を設けたことを特徴とする非接触ＩＣカードリーダ。
【請求項２】
前記防水片は、長手方向の少なくとも一端が中央から端部に向かうほど下方に傾いた状態で設けたことを特徴とする請求項１記載の非接触ＩＣカードリーダ。
【請求項３】
前記ケース本体の外表面に、前記防水片の上側を覆う予備防水片を設けたことを特徴とする請求項１または２記載の非接触ＩＣカードリーダ。
【発明の詳細な説明】
【技術分野】
【０００１】
本願発明は、入退室管理等に用いられる非接触ＩＣカードリーダに関するものである。
【背景技術】
【０００２】
従来から、特開２００５−９２６３８号公報（特許文献１）に示されるように、入退室管理等に用いられる非接触ＩＣカードリーダは知られている。この非接触ＩＣカードリーダは、図６に示すように、アンテナが内蔵されたケース９１の前面が化粧版９２で覆われて構成されている。そして、化粧板９２に非接触ＩＣカードをかざすことで、非接触ＩＣカードとケース９１内のアンテナとが通信して、入退室管理等を行うものである。
【特許文献１】特開２００５−９２６３８号公報
【発明の開示】
【発明が解決しようとする課題】
【０００３】
一方、上記従来例である非接触ＩＣカードリーダを屋外に設置する場合は、雨水等に対する防水対策を施す必要がある。特に、外部配線が接続されるコネクタは、ケース９１から露出して設けられるため、コネクタに雨水等がかかることを防ぐ必要がある。そこで、従来、屋外に設置する場合は、非接触ＩＣカードリーダをボックス内に納めて設置していた。しかしながら、このようなボックスを用いて設置すると設備が大型化し、コストも増大するという問題が生じていた。
【０００４】
本願発明は、上記背景技術に鑑みて発明されたものであり、その課題は、大型化させることなく低コストの防水対策が施された非接触ＩＣカードリーダを提供することである。
【課題を解決するための手段】
【０００５】
上記課題を解決するために、本願請求項１記載の発明では、アンテナと、アンテナを制御する回路基板と、外部配線と回路基板とを電気的に接続するコネクタ部と、アンテナ及び回路基板を内蔵するケース本体とを備えており、コネクタ部はケース本体から露出した状態で備えられており、ケース本体の外表面におけるコネクタ部の近傍に、露出したコネクタ部の上側を覆う防水片を設けたことを特徴としている。
【０００６】
また、本願請求項２記載の発明では、上記請求項１記載の非接触ＩＣカードリーダにおいて、前記防水片は、長手方向の少なくとも一端が、中央から端部に向かうほど下方に傾いた状態で設けたことを特徴としている。
【０００７】
また、本願請求項３記載の発明では、上記請求項１または２記載の非接触ＩＣカードリーダにおいて、前記ケース本体の外表面に、前記防水片の上側を覆う予備防水片を設けたことを特徴としている。
【発明の効果】
【０００８】
本願請求項１記載の非接触ＩＣカードリーダにおいては、コネクタ部の近傍に、露出したコネクタ部の上側を覆う防水片を設けたため、コネクタ部に雨水等がかかるのを防ぐことができ、更に、ケース本体に防水片を設けるだけでよいため、大型化することなく低コストで防水対策を施すことができる。
【０００９】
また、本願請求項２記載の非接触ＩＣカードリーダにおいては、防水片は、長手方向の少なくとも一端が、中央から端部に向かうほど下方に傾いた状態で設けたため、防水片上に溜まった雨水等は端部から外部へと流れ出し、防水片の水はけを良くすることができる。
【００１０】
また、本願請求項３記載の非接触ＩＣカードリーダにおいては、防水片の上側を覆う予備防水片を設けたため、防水片に直接、雨水等がかかることを防ぐことができる。
【発明を実施するための最良の形態】
【００１１】
図１〜５は、本願発明の第一の実施形態である非接触ＩＣカードリーダを示している。この非接触ＩＣカードリーダは、アンテナ（不図示）と、アンテナを制御する回路基板（不図示）と、外部配線と回路基板とを電気的に接続するコネクタ部３と、アンテナ及び回路基板を内蔵するケース本体４とを備えており、コネクタ部３はケース本体４から露出した状態で備えられており、ケース本体４の外表面におけるコネクタ部３の近傍に、露出したコネクタ部３の上側を覆う防水片１を設けている。また、防水片１は、長手方向の一端が、中央から端部に向かうほど下方に傾いた状態で設けており、ケース本体４の外表面には、防水片１の上側を覆う予備防水片２を設けている。
【００１２】
以下、この実施形態の非接触ＩＣカードリーダを、より具体的詳細に説明する。図１に示すように、この非接触ＩＣカードリーダは、前面が開口した箱体４１と、箱体４１の開口を塞ぐ蓋体４２とからなるケース本体４があって、このケース本体４に電波を出力するループアンテナ等からなるアンテナと、アンテナを制御する回路基板とを内蔵したものである。図２に示すように、ケース本体４の前面には、テンキーの操作部５と、ディスプレイからなる表示部６とが設けられており、例えば、暗証番号等の認証情報を入力する際に利用される。
【００１３】
ケース本体４の裏面には、図２に示すように、コネクタ部３と、ディップスイッチ７と、防水片１と、予備防水片２とが設けられている。コネクタ部３は、例えば、速結端子からなり、複数の接続口３１を有しており、回路基板上に設けられている。コネクタ部３における接続口３１が設けられた部分はケース本体４から露出しており、この接続口３１に、壁に先行配線されている、或いは、壁面に取り付けられている外部配線が接続される。外部配線は、回路基板に外部電源からの電力を供給する電力線と、回路基板と外部機器との間の信号の伝送を確保する情報線とがあって、それぞれが接続口３１に接続されている。このコネクタと外部配線との接続状態は、ディップスイッチ７を操作することで、どの配線がどの接続口３１に接続されたかを回路基板に反映している。
【００１４】
ここで、この非接触ＩＣカードリーダを、屋外に面した壁面に設置する場合においては、雨水が壁面を伝ってケース上面４３からケース本体４の裏面に流れ込むことがある。このような場合において、ケース本体４から露出して設けられたコネクタ部３を雨水等から保護するために、防水片１及び予備防水片２が設けられている。
【００１５】
防水片１は、銘板スペース８の下縁のコネクタ部３近傍においてコネクタ部３の上側を覆うように設けられており、左側から右側へ向かうほど下方に傾いた状態で設けられている。したがって、防水片１に流れ込んだ雨水等は、コネクタ部３に流れ込むことはなく防水片１上を右側に流れ、防水片１の右端部から蓋体４２の内表面４４に落下する。そして、蓋体４２の内表面４４に落下した雨水等は、蓋体４２の下面に設けられた切欠き部９から外部へと落下する。よって、コネクタ部３に雨水等が流れ込むのを防ぐことができ、また、防水片１の水はけが良くなることで、防水片１上に溜まった雨水等がコネクタ部３に流れ込むのを防ぐことができる。
【００１６】
予備防水片２は、コ字型で防水片１とコネクタ部３の上面及び側面覆うものであり、銘板スペース８を囲むように設けられている。したがって、予備防水片２を設けることで、防水片１に直接雨水等がかかることを防ぐことができ、防水片１上に溜まる雨水等を減らすことができるため、より防水効果を高めることができる。なお、上記防水片１及び予備防水片２の防水効果は、非接触ＩＣカードリーダを屋外に設置した場合における雨水等に対する効果に限定されるものではない。
【００１７】
次に、この非接触ＩＣカードリーダを入退室管理に用いた場合における使用動作を説明する。外部機器としては、扉の施解錠を行う電気錠とパーソナルコンピュータが用いられ、扉を通過するユーザーは、ＩＤ等の情報を記憶したパッシブ型のＩＣタグが内蔵された非接触ＩＣカードを所持している。まず、ユーザーは扉を通過する際にケース本体４の前面に非接触ＩＣカードをかざし、記憶されたＩＤ等の情報がアンテナを通じて回路基板に送信される。回路基板は、受信したＩＤが扉通過の許可されたＩＤであれば、外部配線を通じて電気錠と通信し、電気錠を解錠させる。同時に、回路基板は受信したＩＤ等の情報をパーソナルコンピュータへと送信して保存させている。なお、ＩＤの認証と共に、暗証番号の入力を要求し、暗証番号が正しい場合にのみ電気錠を解錠させるものであってもよい。
【００１８】
図３〜５は、本願発明の第二の実施形態である非接触ＩＣカードリーダを示している。なお、ここでは、上記第一の実施形態と相違する事項についてのみ説明し、その他の事項（構成、作用効果等）については、上記第一の実施形態と同様であるのでその説明を省略する。
【００１９】
図３に示す防水片１は、コ字型の防水片１であって、複数（ここでは二つ）のコネクタ部３の上面及び側面を覆った状態でコネクタ部３近傍に設けられている。また、図４に示す防水片１は、同じくコネクタ部３の上面及び側面を覆ったコ字型であり、各コネクタ部３に対して一つずつ設けられている。上記、図３、４に示された防水片１にあっては、コネクタ部３の上面だけでなく、側面も覆う形状であるため、より防水効果が高くなるものである。また、図５に示す防水片１は、中心から外側に向かうほど下方に傾いた「く字型」であって、コネクタ部３近傍に設けられている。したがって、防水片１に流れ込んだ雨水等は防水片１の左右の端部に流れ込み落下するため、雨水等が落下する場所が二箇所になり、より防水効果が高くなるものである。
【００２０】
なお、上記実施形態の非接触ＩＣカードリーダは、パッシブ型のＩＣタグと通信するものであるが、電池を有するアクティブ型のＩＣタグと通信するものであってもよい。
【図面の簡単な説明】
【００２１】
【図１】本願発明の第一の実施形態である非接触ＩＣカードリーダの裏面を示す斜視図。
【図２】同非接触ＩＣカードリーダの前面を示す斜視図。
【図３】本願発明の第二の実施形態である非接触ＩＣカードリーダの裏面を示す背面図。
【図４】同非接触ＩＣカードリーダの裏面を示す背面図。
【図５】同非接触ＩＣカードリーダの裏面を示す背面図。
【図６】従来例である非接触ＩＣカードリーダを示す斜視図。
【符号の説明】
【００２２】
１  防水片
２  予備防水片
３  コネクタ部
４  ケース本体
11  端部
【図１】
2008181371.tif 000003
【図２】
2008181371.tif 000004
【図３】
2008181371.tif 000005
【図４】
2008181371.tif 000006
【図５】
2008181371.tif 000007
【図６】
2008181371.tif 000008